(57)【要約】【課題】      電柱や塀や建物などへの犬の放尿は所有者にとって悪臭、不衛生、構造物の腐食、汚れが落ちないことなど深刻な被害である。それらの被害を避けるための、安全かつ簡便な構造の犬の放尿忌避用具を提供する。【解決手段】  電柱や塀や建物などの忌避対象構造物に、柔軟性のある複数の帯体又は線体と、その下端部を連結する固定バンドからなる犬の放尿忌避用具を装着する。犬が放尿しようと忌避対象構造物に近づくと、様々な角度に傾斜し先端部が様々な高さに配置された複数の帯体又は線体の先端部が、犬の足や胴などの体に触れ、犬にとって危険ではないが不快に感じその場で放尿しなくなる。また、それらの複数の帯体又は線体は柔軟性があり、先端部は丸みを帯びているか又は犬を傷つけない角度がついているため、犬やその他の動物、交通手段などにも安全である。【選択図】図１
2010268791.tif 000002
【特許請求の範囲】
【請求項１】
電柱や塀や建物などの忌避対象構造物に犬が放尿することを防ぐための忌避用具であって、柔軟性がある複数の帯体又は線体と、前記複数の帯体又は線体の下端部を連結し忌避対象構造物に固定するための固定バンドからなることを特徴とする、犬の放尿忌避用具。
【請求項２】
忌避対象構造物に装着されたとき、前記複数の帯体又は線体が様々な角度に傾斜し、その先端部が様々の高さに配置されていていることを特徴とする、請求項１記載の犬の放尿忌避用具。
【請求項３】
前記複数の帯体又は線体がどのような意匠形状でも、その先端部は丸みを帯びているか又は犬を傷つけない角度がついていることを特徴とする、請求項１又は請求項２記載の犬の放尿忌避用具。
【請求項４】
前記複数の帯体又は線体と前記固定バンドが、柔軟性がある合成樹脂製又は金属製又は合成樹脂と金属の複合物により形成されていることを特徴とする、請求項１から請求項３のいずれかに記載の犬の放尿忌避用具。
【請求項５】
前記固定バンドを忌避対象構造物に、接着剤又は接着シートにより接着する方法、金属線又は合成樹脂線又は天然素材の紐により縛りつける方法、フラットバーにより固定する方法、磁石又は面ファスナーによる簡便に脱着が可能な方法により、固定して装着することを特徴とする、請求項１から請求項４のいずれかに記載の犬の放尿忌避用具。
【発明の詳細な説明】
【技術分野】
【０００１】  本発明は犬の放尿被害に対する、安全で簡便な構造の犬の放尿忌避用具に関するものである。
【背景技術】
【０００２】  犬の放尿忌避の方法としては、匂いなどの化学物質によるものや、電柱や塀や建物などの放尿忌避対象物を堅固な器具で防護するものなどが考案されているが、より安全で簡便な構造で効果が大きいものが求められている。
【発明の概要】
【発明が解決しようとする課題】
【０００３】  犬が散歩などの際、電柱や塀や建物などにマーキングのために放尿してしまうことは飼い主にとってやむを得ないことであっても、所有者にとっては一匹だけでなく次々に放尿を受け耐え難い問題である。悪臭もさることながら、不衛生であること、構造物が腐食すること、汚れが落ちないことなど深刻な被害である。そのため、安全で簡便な構造で効果が大きい犬の放尿忌避用具を提供する。
【課題を解決する手段】
【０００４】  本発明は、電柱や塀や建物などの忌避対象構造物に犬が放尿することを防ぐための忌避用具であって、柔軟性がある複数の帯体又は線体と、前記複数の帯体又は線体の下端部を連結し忌避対象構造物に固定するための固定バンドからなることを特徴とする、犬の放尿忌避用具である。
【発明の効果】
【０００５】  本発明は、犬やその他動物などに安全であり、簡便な構造のため設置しやすく、犬の放尿被害を減少させることができる。
【発明を実施するための最良の形態】
【０００６】  以下、本発明の実施の形態を図１〜図６に基づいて説明する。【０００７】  本発明の犬の放尿忌避用具を、電柱や塀や建物などの忌避対象構造物に装着する。図１は電柱などの曲面に装着した例であり、図２は塀や門や建物の角などの平面に装着した例である。犬が放尿しようとして近づいたとき、犬の放尿忌避用具の複数の帯体又は線体の先端部が犬の体に触れる高さに装着する。【０００８】  本発明の犬の放尿忌避用具の、複数の帯体又は線体は図３のθ１・θ２・θ３で表すように様々な角度に傾斜しており、先端部は図４のｈ１・ｈ２・ｈ３で表すように様々な高さに配置されている。そのため様々な大きさの犬の、足や胴など体の様々な部分に触れる。【０００９】  本発明の犬の放尿忌避用具の複数の帯体又は線体と固定バンドは、柔軟性がある合成樹脂製又は金属製又は合成樹脂と金属の複合物により形成されており、犬の体に触れる帯体又は線体の先端部は、丸みを帯びているか又は犬を傷つけない角度がついている。そのため、図５のように忌避対象構造物に犬が放尿しようとして近づいたとき、複数の帯体又は線体の先端部が犬の体に触れ、危険ではないが犬は不快に感じその場では放尿しなくなる。同様に柔軟性と先端部の形状から、その他の動物、交通手段などにも危険ではなく安全である。【００１０】  本発明の犬の放尿忌避用具の複数の帯体又は線体は、下端部を連結している固定バンドにより忌避対象構造物に固定して装着する。固定バンドは、接着剤又は接着シートにより接着する方法、金属線又は合成樹脂線又は天然素材の紐により縛りつける方法、フラットバーにより固定する方法、磁石又は面ファスナーによる簡便に脱着可能な方法などにより、電柱や塀や建物などの忌避対象構造物に固定して装着する。【００１１】  本発明の犬の放尿忌避用具の複数の帯体又は線体は、美観や周辺環境に馴染むようにするためには、図６に表すように細葉状、植物状、その他様々な意匠形状が可能である。どのような意匠形状であっても、犬の体に触れる先端部は丸みを帯びているか又は犬を傷つけない角度がついているため、また柔軟性があるので、犬に不快感を与えるが、犬やその他動物、交通手段などに危険ではなく安全である。
【図面の簡単な説明】
【００１２】
【図１】  本発明の犬の放尿忌避用具を、電柱などの曲面に装着して使用する方法を表す斜視図である。
【図２】  本発明の犬の放尿忌避用具を、塀や建物の角などの平面に装着して使用する方法を表す斜視図である。
【図３】  本発明の犬の放尿忌避用具の構造を表す側面図である。
【図４】  本発明の犬の放尿忌避用具の構造を表す正面図である。
【図５】  本発明の犬の放尿忌避用具を装着した忌避対象構造物に、犬が近づいた状態を表す側面図である。
【図６】  本発明の犬の放尿忌避用具の複数の帯体又は線体と固定バンドを表す斜視図である。
【符号の説明】
【００１３】  １  犬の放尿忌避用具の複数の帯体又は線体
２  犬の放尿忌避用具の固定バンド
３  電柱など曲面の忌避対象構造物
４  塀など平らな面の忌避対象構造物
５  地面
６  電柱や塀などの忌避対象構造物
７  犬
８  複数の帯体又は線体の細葉状の意匠形状例
９  複数の帯体又は線体の植物状の意匠形状例
１０  複数の帯体又は線体の様々な意匠形状例
【図１】
2010268791.tif 000003
【図２】
2010268791.tif 000004
【図３】
2010268791.tif 000005
【図４】
2010268791.tif 000006
【図５】
2010268791.tif 000007
【図６】
2010268791.tif 000008